(57)【要約】【解決手段】頭部３の側面側を正面側から背面側への向きに把持部２の上端部から上方へ屈曲して延設し、剃刀ヘッド７の裏側を頭部３の正面側に対し間隔Ｗをあけて対向させて取り付けたので、身体の各種部分に生える膚毛を剃る場合に、ホルダを把持した手を大きく屈曲させなくても、剃刀ヘッド７の表側を身体の皮膚面に沿わせて剃刀を使用することができる。また、頭部３の正面側に対する剃刀ヘッド７の裏側の間隔Ｗを首振り機構Ｍにより変更して、剃刀ヘッド７の中立位置Ｐでは刃先側に対する反対側における間隔Ｗを刃先側における間隔Ｗより大きくし、中立位置Ｐから剃刀ヘッド７を移動させた所定の移動位置Ｑでは刃先側に対する反対側における間隔Ｗを刃先側における間隔Ｗより小さくするので、刃先側に対する反対側で剃刀ヘッド７の首振り範囲が広くなる。【効果】剃刀の使い勝手を良くすることができる。【選択図】図２
2014090934.tif 000002
【特許請求の範囲】
【請求項１】
把持部とその把持部の上端部に設けた頭部とを備えたホルダにおいて、刃体を有する剃刀ヘッドを頭部の正面側に取り付け、この剃刀ヘッドで刃体の刃先が露出する表側に対し反対側になる裏側を頭部の正面側に間隔をあけて対向させたことを特徴とする剃刀。
【請求項２】
前記ホルダの頭部には剃刀ヘッドを中立位置から頭部の正面側に向けて移動させる首振り機構を設け、
剃刀ヘッドの中立位置において、刃体の刃先の延設方向に対し交叉する方向の両側のうち、刃先側における前記間隔より、刃先側に対する反対側における前記間隔を大きくするように設定した
ことを特徴とする請求項１に記載の剃刀。
【請求項３】
前記ホルダの頭部には剃刀ヘッドを中立位置から頭部の正面側に向けて移動させる首振り機構を設け、
この頭部は、刃先の延設方向の両側で正面側とその正面側に対し反対側になる背面側との間に設けた側面側を、正面側から背面側への向きに把持部の上端部から上方へ屈曲して延設されている
ことを特徴とする請求項１に記載の剃刀。
【請求項４】
前記ホルダの頭部には剃刀ヘッドを中立位置から頭部の正面側に向けて移動させる首振り機構を設け、
この首振り機構は、
頭部の正面側に対する剃刀ヘッドの裏側の間隔を変更することができ、
剃刀ヘッドの中立位置において、刃体の刃先の延設方向に対し交叉する方向の両側のうち、刃先側における前記間隔より、刃先側に対する反対側における前記間隔が大きくなり、
この中立位置から剃刀ヘッドを移動させる際に、刃先側における前記間隔より、刃先側に対する反対側における前記間隔が小さくなる移動位置を取り得る
ことを特徴とする請求項１に記載の剃刀。
【請求項５】
前記ホルダの頭部は、刃体の刃先の延設方向の両側へ把持部の上端部から膨らんで連続することを特徴とする請求項１〜４のうちいずれか一つの請求項に記載の剃刀。
【請求項６】
前記ホルダにおいて把持部は、上端部と下端部との間の中間部で、側面側を背面側から正面側への向きに下方へ屈曲して延設されていることを特徴とする請求項１〜５のうちいずれか一つの請求項に記載の剃刀。
【請求項７】
前記首振り機構は、ホルダの頭部に設けた支持部と、剃刀ヘッドに設けた被支持部との間に介在させた弾性部を有し、この剃刀ヘッドはその弾性部により付勢されて静止する中立位置に対しその弾性部の付勢力に抗して移動した移動位置を取り得ることを特徴とする請求項２〜４のうちいずれか一つの請求項に記載の剃刀。
【請求項８】
前記弾性部は、弾性板であって、前記頭部の支持部に支持された外周部を有し、弾性板の外周部よりも内側で剃刀ヘッドの被支持部を支持したことを特徴とする請求項７に記載の剃刀。
【請求項９】
前記頭部の支持部は環状に配設された環状部を有し、前記弾性部はその支持部の環状部の内周と前記剃刀ヘッドの被支持部の外周との間の支持孔でその内周及び外周に沿って環状に配設された環状部を有し、頭部において背面側から正面側に向けて膨らむように湾曲する側面側に沿って湾曲していることを特徴とする請求項７または請求項８に記載の剃刀。
【請求項１０】
前記弾性部は変形のし難さを指す難変形度の異なる複数の撓み許容部を有していることを特徴とする請求項７〜９のうちいずれか一つの請求項に記載の剃刀。
【請求項１１】
前記弾性部において、刃体の刃先の延設方向に対し交叉する方向の両側のうち、刃先側における撓み許容部の難変形度は、刃先側に対する反対側における撓み許容部の難変形度より高くなっていることを特徴とする請求項１０に記載の剃刀。
【請求項１２】
前記弾性部は、剃刀ヘッドの中立位置で、支持部の環状部と剃刀ヘッドの被支持部との間の支持孔内に配置され、
前記剃刀ヘッドの被支持部は、刃体を組み込んだ組付部から延びる第一の連結部と、前記弾性部を前記頭部の支持部との間で介在させた第二の連結部と、それらの連結部を互いに支持する結合部とを有し、
この第二の連結部において組付部側に対し弾性部を挟む反対側の端部は、剃刀ヘッドの中立位置で、前記支持孔内に配置されている
ことを特徴とする請求項９に記載の剃刀。
【発明の詳細な説明】
【技術分野】
【０００１】
本発明は、ホルダの頭部に剃刀ヘッドを取り付けた剃刀に関するものである。
【背景技術】
【０００２】
下記の特許文献１にかかる剃刀において、剃刀ヘッドに組み込まれた刃体の刃先は剃刀ヘッドの表側（上側）で露出し、その表側に対し反対側になる裏側（下側）でホルダの頭部の上端部に対し剃刀ヘッドが所定の支持構造により着脱可能に支持されている。
【先行技術文献】
【特許文献】
【０００３】
【特許文献１】特開平５−２１２１６５号公報
【発明の概要】
【発明が解決しようとする課題】
【０００４】
上記の特許文献１では、身体の各種部分に生える膚毛を剃る場合に剃刀を使用すると、剃刀ヘッドの表側を身体の皮膚面に沿わせるために、ホルダの頭部をその皮膚面に交差するように突き当てる必要があった。そのため、ホルダを把持した手を大きく屈曲させなければならず、剃刀の使い勝手が悪くなっていた。
【０００５】
この発明は、身体の各種部分に生える膚毛を剃る場合に剃刀の使い勝手を良くすることを目的としている。
【課題を解決するための手段】
【０００６】
後記実施形態の図面（図１〜５）の符号を援用して本発明を説明する。
請求項１の発明にかかる剃刀においては、把持部（２）とその把持部（２）の上端部に設けた頭部（３）とを有するホルダ（１）を備え、刃体（９）を有する剃刀ヘッド（７）を頭部（３）の正面側に取り付け、この剃刀ヘッド（７）で刃体（９）の刃先（９ａ）が露出する表側に対し反対側になる裏側を頭部（３）の正面側に間隔（Ｗ）をあけて対向させている。
【０００７】
請求項１の発明では、剃刀ヘッド（７）の裏側を頭部（３）の正面側に間隔（Ｗ）をあけて対向させて取り付けたので、身体の各種部分に生える膚毛を剃る場合に、ホルダ（１）を把持した手を大きく屈曲させなくても、剃刀ヘッド（７）の表側を身体の皮膚面に沿わせて剃刀を使用することができる。また、剃刀ヘッド（７）の裏側と頭部（３）の正面側との間の間隔（Ｗ）により、剃刀ヘッド（７）の表側を身体の皮膚面に沿わせて剃刀を使用する際に頭部（３）の正面側が身体の皮膚面に接触しにくくなる。従って、剃刀の使い勝手を良くすることができる。
【０００８】
請求項１の発明を前提とする請求項２の発明において、前記ホルダ（１）の頭部（３）には剃刀ヘッド（７）を中立位置（Ｐ）から頭部（３）の正面側に向けて移動させる首振り機構（Ｍ）を設け、剃刀ヘッド（７）の中立位置（Ｐ）において、刃体（９）の刃先（９ａ）の延設方向（Ｙ）に対し交叉する方向（Ｚ）の両側のうち、刃先（９）側における前記間隔（Ｗ）より刃先（９ａ）側に対する反対側における前記間隔（Ｗ）を大きくするように設定している。請求項２の発明では、刃先（９ａ）側に対する反対側で剃刀ヘッド（７）の首振り範囲が広くなるので、剃刀の使い勝手を良くすることができる。
【０００９】
請求項１の発明を前提とする請求項３の発明において、前記ホルダ（１）の頭部（３）には剃刀ヘッド（７）を中立位置（Ｐ）から頭部（３）の正面側に向けて移動させる首振り機構（Ｍ）を設け、この頭部（３）は、刃先（９ａ）の延設方向（Ｙ）の両側で正面側とその正面側に対し反対側になる背面側との間に設けた側面側を、正面側から背面側への向きに把持部（２）の上端部から上方へ屈曲して延設されている。請求項３の発明では、刃体（９）の刃先（９ａ）の延設方向（Ｙ）に対し交叉する方向（Ｚ）の両側のうち、刃先（９ａ）側における前記間隔（Ｗ）より刃先（９ａ）側に対する反対側における前記間隔（Ｗ）を大きくするように設定し易くなり、刃先（９ａ）側に対する反対側で剃刀ヘッド（７）の首振り範囲が広くなるので、剃刀の使い勝手を良くすることができる。
【００１０】
請求項１の発明を前提とする請求項４の発明において、前記ホルダ（１）の頭部（３）には剃刀ヘッド（７）を中立位置（Ｐ）から頭部（３）の正面側に向けて移動させる首振り機構（Ｍ）を設け、この首振り機構（Ｍ）は、頭部（３）の正面側に対する剃刀ヘッド（７）の裏側の間隔（Ｗ）を変更することができ、剃刀ヘッド（７）の中立位置（Ｐ）で、刃体（９）の刃先（９ａ）の延設方向（Ｙ）に対し交叉する方向（Ｚ）の両側のうち、刃先（９ａ）側における前記間隔（Ｗ）より、刃先（９ａ）側に対する反対側における前記間隔（Ｗ）が大きくなり、この中立位置（Ｐ）から剃刀ヘッド（７）を移動させる際に、刃先（９ａ）側における前記間隔（Ｗ）より、刃先（９ａ）側に対する反対側における前記間隔（Ｗ）が小さくなる移動位置（Ｑ）を取り得る。請求項４の発明では、中立位置（Ｐ）から移動位置（Ｑ）へ剃刀ヘッド（７）を移動させる際に、刃先（９ａ）側に対する反対側で剃刀ヘッド（７）の首振り範囲が広くなるので、剃刀の使い勝手を良くすることができる。
【００１１】
請求項１〜４のうちいずれか一つの請求項の発明を前提とする請求項５の発明において、前記ホルダ（１）の頭部（３）は、刃体（９）の刃先（９ａ）の延設方向（Ｙ）の両側へ把持部（２）の上端部から膨らんで連続する。請求項５の発明では、ホルダ（１）の頭部（３）の正面側が広がるため、ホルダ（１）の頭部（３）に剃刀ヘッド（７）を取り付け易い。
【００１２】
請求項１〜５のうちいずれか一つの請求項の発明を前提とする請求項６の発明にかかるホルダ（１）において、把持部（２）は、上端部と下端部との間の中間部で、側面側を背面側から正面側への向きに下方へ屈曲して延設されている。請求項６の発明では、把持部（２）の中間部で把持部（２）の正面側に凹み（２ａ）が生じるため、使用時に把持部（２）を把持し易くなって剃刀の使い勝手を良くすることができる。
【００１３】
請求項２〜４のうちいずれか一つの請求項の発明を前提とする請求項７の発明において、前記首振り機構（Ｍ）は、ホルダ（１）の頭部（３）に設けた支持部（６）と、剃刀ヘッド（７）に設けた被支持部（１０）との間に介在させた弾性部（１５）を有し、この剃刀ヘッド（７）はその弾性部（１５）により付勢されて静止する中立位置（Ｐ）に対しその弾性部（１５）の付勢力に抗して移動した移動位置（Ｑ）を取り得る。請求項７の発明では、剃刀ヘッド（７）を弾性部（１５）により支持することができるので、剃刀ヘッド（７）を中立位置（Ｐ）に対し弾性に抗して移動可能に支持する支持構造を簡単にすることができる。
【００１４】
請求項７の発明を前提とする請求項８の発明において、前記弾性部（１５）は、弾性板であって、前記頭部（３）の支持部（６）に支持された外周部を有し、弾性板（１５）の外周部よりも内側で剃刀ヘッド（７）の被支持部（１０）を支持している。請求項８の発明では、弾性部（１５）を板状にしたので、弾性板（１５）においてその外周部の内側を撓ませ易い。また、弾性板（１５）の外周部が頭部（３）の支持部（６）に支持されているので、弾性板（１５）においてその外周部よりも内側を撓ませることができる。さらに、弾性板（１５）において撓み易くした外周部の内側で被支持部（２０）を支持したので、剃刀ヘッド（７）を弾性に抗して移動させ易くするとともに中立位置（Ｐ）に復帰させ易い。
【００１５】
請求項７または請求項８の発明を前提とする請求項９の発明において、前記頭部（３）の支持部（６）は環状に配設された環状部（６ａ）を有し、前記弾性部（１５）はその支持部（６）の環状部（６ａ）の内周と前記剃刀ヘッド（７）の被支持部（１０）の外周との間の支持孔（１４）でその内周及び外周に沿って環状に配設された環状部（１５ａ）を有し、頭部（３）において背面側から正面側に向けて膨らむように湾曲する側面側に沿って湾曲している。ちなみに、頭部（３）の支持部（６）の環状部（６ａ）については、環状に連続させること以外に、複数の支持部（６）を環状に配設させてもよい。また、弾性部（１５）の環状部（１５ａ）については、環状に連続させること以外に、複数の弾性部（１５）を環状に配設させてもよい。請求項９の発明では、その支持孔（１４）で弾性部（１５）の環状部（１５ａ）を撓ませることができる。また、弾性部（１５）は頭部（３）において背面側から正面側に向けて膨らむように湾曲する側面側に沿って湾曲しているので、湾曲する頭部（３）の内側に弾性部（１５）を取り付け易い。
【００１６】
請求項７〜９のうちいずれか一つの請求項の発明を前提とする請求項１０の発明において、前記弾性部（１５）は変形のし難さを指す難変形度の異なる複数の撓み許容部（２６，２７，２８，２９，３０）を有している。請求項１０の発明では、剃刀ヘッド（７）の首振り方向に応じて弾性部（１５）の難変形度を変えて剃り味を変更することができる。
【００１７】
請求項１０の発明を前提とする請求項１１の発明にかかる弾性部（１５）において、刃体（９）の刃先（９ａ）の延設方向（Ｙ）に対し交叉する方向（Ｚ）の両側のうち、刃先（９ａ）側における撓み許容部（２８）の難変形度は、刃先（９ａ）側に対する反対側における撓み許容部（２７）の難変形度より高くなっている。請求項１１の発明では、中立位置（Ｐ）で剃刀ヘッド（７）を頭部（３）に接近させる向きに首振りさせた場合には、首振り力が刃先（９ａ）側に対する反対側における撓み許容部（２７）に主に与えられるため、頭部（３）に接近させる向きへの剃刀ヘッド（７）の首振りを行い易い。また、中立位置（Ｐ）で剃刀ヘッド（７）を頭部（３）から離間させる向きに首振りさせた場合には、首振り力が刃先（９ａ）側における撓み許容部（２８）に主に与えられるため、頭部（３）から離間させる向きへの剃刀ヘッド（７）の首振りを行いにくい。従って、剃刀ヘッド（７）を適切な向きに首振りさせ易い。
【００１８】
請求項９の発明を前提とする請求項１２の発明において、前記弾性部（１５）は、剃刀ヘッド（７）の中立位置（Ｐ）で、支持部（６）の環状部（６ａ）と剃刀ヘッド（７）の被支持部（１０）との間の支持孔（１４）内に配置され、前記剃刀ヘッド（７）の被支持部（１０）は、刃体（９）を組み込んだ組付部（８）から延びる第一の連結部（１９）と、前記弾性部（１５）を前記頭部（３）の支持部（６）との間で介在させた第二の連結部（１６）と、それらの連結部（１６,１９）を互いに支持する結合部（２０，２１，２２）とを有し、この第二の連結部（１６）において組付部（８）側に対し弾性部（１５）を挟む反対側の端部（１８）は、剃刀ヘッド（７）の中立位置（Ｐ）で、前記支持孔（１４）内に配置されている。請求項１２の発明では、剃刀ヘッド（７）の中立位置（Ｐ）で支持孔（１４）内に配置された弾性部（１５）を使用時に不用意に触れて剃刀ヘッド（７）の首振りを邪魔したりすることがなく、剃刀の使い勝手を良くすることができる。また、剃刀ヘッド（７）の被支持部（１０）の第二の連結部（１９）を使用時に不用意に触れて剃刀ヘッド（７）の首振りを邪魔したりすることがなく、剃刀の使い勝手を良くすることができる。
【００１９】
次に、請求項以外の技術的思想について実施形態の図面の符号を援用して説明する。
請求項２〜４、７〜１２のうちいずれか一つの請求項の発明を前提とする第１３の発明において、前記首振り機構（Ｍ）は、剃刀ヘッド（７）の中立位置（Ｐ）でホルダ（１）の正面側を載置面（Ｈ）に載置した際に、剃刀ヘッド（７）の表側がこの載置面（Ｈ）に対しなす傾斜角度（γ）を２０度以上にするとともに、剃刀ヘッド（７）が中立位置（Ｐ）から頭部（３）の正面側に向けて移動した移動位置で剃刀ヘッド（７）が頭部（３）に当って停止するように設定されている。第１３の発明では、ホルダ（１）を把持して載置面（Ｈ）から持ち上げる際に剃刀ヘッド（７）の表側が載置面（Ｈ）に接触しにくい。
【００２０】
第１３の発明を前提とする第１４の発明において、前記剃刀ヘッド（７）は、剃刀ヘッド（７）の中立位置（Ｐ）でホルダ（１）の正面側を載置面（Ｈ）に載置した際に、この載置面（Ｈ）に対し離間している。第１４の発明では、身体の皮膚面に沿う剃刀ヘッド（７）の表側が汚れにくい。
【００２１】
第１３の発明または第１４の発明を前提とする第１５の発明において、前記首振り機構（Ｍ）は、剃刀ヘッド（７）が中立位置（Ｐ）から頭部（３）の正面側に向けて３０度以上移動して頭部（３）に当って停止するように設定されている。第１５の発明では、剃刀ヘッド（７）の首振り範囲を広くして剃刀の使い勝手を良くすることができる。
【００２２】
請求項６の発明を前提とする第１６の発明において、前記把持部（２）の側面側の上端部に対する頭部（３）の側面側の屈曲角度（α）は、前記把持部（２）の中間部における屈曲角度（β）より大きく設定されている。第１６の発明では、頭部（３）を屈曲させても把持部（２）を把持し易い。
【００２３】
請求項６の発明または第１６の発明を前提とする第１７の発明において、前記頭部（３）の側面側が背面側から正面側に膨らむように湾曲するとともに、前記把持部（２）の側面側が正面側から背面側に膨らむように湾曲して、ホルダ（１）の全体の側面側がＳ字状に湾曲している。第１７の発明では、頭部（３）を湾曲させても把持部（２）を把持し易い。
【００２４】
請求項７の発明を前提とする第１８の発明において、前記弾性部（１５）は前記頭部（３）の支持部（６）に支持された外周部を有している。第１８の発明では、弾性部（１５）の外周部が頭部（３）の支持部（６）に支持されているので、弾性部（１５）においてその外周部よりも内側を撓ませることができる。
【００２５】
第１８の発明を前提とする第１９の発明において、前記弾性部（１５）は弾性部（１５）の外周部よりも内側で剃刀ヘッド（７）の被支持部（１０）を支持した。第１９の発明では、弾性部（１５）において撓み易くした外周部の内側で被支持部（１０）を支持したので、剃刀ヘッド（７）を弾性に抗して移動させ易くするとともに中立位置（Ｐ）に復帰させ易い。
【００２６】
第１９の発明を前提とする第２０の発明において、前記弾性部（１５）は弾性板である。第２０の発明では、弾性部（１５）を板状にしたので、弾性板においてその外周部の内側を撓ませ易い。
【００２７】
第１９の発明を前提とする第２１の発明において、前記剃刀ヘッド（７）の被支持部（１０）は弾性板の厚み方向（Ｘ）の両側のうち少なくとも一方側に支持されている。第２１の発明では、剃刀ヘッド（７）を弾性板（１５）の厚み方向（Ｘ）へ弾性に抗して移動させ易くするとともに中立位置（Ｐ）に復帰させ易い。
【００２８】
請求項７の発明、または第１８〜２１の発明のうちいずれか一つの発明を前提とする第２２の発明において、前記頭部（３）の支持部（６）は環状に配設された環状部（６ａ）を有し、前記弾性部（１５）はその支持部（６）の環状部（６ａ）の内周と前記剃刀ヘッド（７）の被支持部（１０）の外周との間の支持孔（１４）でその内周及び外周に沿って環状に配設された環状部（１５ａ）を有している。ちなみに、頭部（３）の支持部（６）の環状部（６ａ）については、環状に連続させること以外に、複数の支持部（６）を環状に配設させてもよい。また、弾性部（１５）の環状部（１５ａ）については、環状に連続させること以外に、複数の弾性部（１５）を環状に配設させてもよい。第２２の発明では、その支持孔（１４）で弾性部（１５）の環状部（１５ａ）を撓ませることができる。
【００２９】
第２２の発明を前提とする第２３の発明において、前記弾性部（１５）は、頭部（３）において背面側から正面側に膨らむように湾曲する側面側に沿って湾曲している。第２３の発明では、湾曲する頭部（３）の内側に弾性部（１５）を取り付け易い。
【００３０】
請求項１０の発明を前提とする第２４の発明において、前記弾性部（１５）の各撓み許容部（２６，２７，２８，２９，３０）は互いに隣接して並設されている。第２４の発明では、難変形度の異なる複数の撓み許容部（２６，２７，２８，２９，３０）を有する弾性部（１５）を容易に設けることができる。
【００３１】
第２４の発明を前提とする第２５の発明において、前記弾性部（１５）の各撓み許容部（２６，２７，２８，２９，３０）は剃刀ヘッド（７）の被支持部（１０）の外周で環状に並設されている。第２５の発明では、難変形度の異なる複数の撓み許容部（２６，２７，２８，２９，３０）を有する弾性部（１５）を容易に設けることができる。
【００３２】
請求項７〜１２のうちいずれか一つの請求項の発明、または第１３〜２５の発明のうちいずれか一つの発明を前提とする第２６の発明において、前記弾性部（１５）は剃刀ヘッド（７）の中立位置（Ｐ）から移動位置（Ｑ）への移動に従って変形する撓み許容部（２３）を有し、その撓み許容部（２３）の移動位置（Ｑ）の難変形度はその撓み許容部（２３）の中立位置（Ｐ）の難変形度より高くなっている。第２６の発明では、首振りの始めに剃り味を柔らかくするとともに、首振りの終わりに剃刀ヘッド（７）を安定させて、剃り味を向上させることができる。
【００３３】
請求項７〜１２のうちいずれか一つの請求項の発明、または第１３〜２６の発明のうちいずれか一つの発明を前提とする第２７の発明において、前記ホルダ（１）において頭部（３）は把持部（２）と連続して設けられ、この把持部（２）は頭部（３）の弾性部（１５）と一体成形されて露出する指当部（５）を有している。第２７の発明では、弾性部（１５）と指当部（５）とを有するホルダ（１）を容易に成形することができる。
【００３４】
第２２の発明または第２３の発明を前提とする第２８の発明において、前記弾性部（１５）は、剃刀ヘッド（７）の中立位置（Ｐ）で、支持部（６）の環状部（６ａ）と剃刀ヘッド（７）の被支持部（１０）との間の支持孔（１４）内に配置されている。第２８の発明では、使用時に弾性部（１５）を不用意に触れて剃刀ヘッド（７）の首振りを邪魔したりすることがなく、剃刀の使い勝手を良くすることができる。
【００３５】
第２８の発明を前提とする第２９の発明において、前記剃刀ヘッド（７）の被支持部（１０）は、刃体（９）を組み込んだ組付部（８）から延びる第一の連結部（１９）と、前記弾性部（１５）を前記頭部（３）の支持部（６）との間で介在させた第二の連結部（１６）と、それらの連結部（１６,１９）を互いに支持する結合部（２０，２１，２２）とを有し、この第二の連結部（１６）において組付部（８）側に対し弾性部（１５）を挟む反対側の端部（１８）は、剃刀ヘッド（７）の中立位置（Ｐ）で、前記支持孔（１４）内に配置されている。第２９の発明では、使用時に剃刀ヘッド（７）の被支持部（１０）の第二の連結部（１６）を不用意に触れて剃刀ヘッド（７）の首振りを邪魔したりすることがなく、剃刀の使い勝手を良くすることができる。
【発明の効果】
【００３６】
本発明は、身体の各種部分に生える膚毛を剃る場合に剃刀の使い勝手を良くすることができる。
【図面の簡単な説明】
【００３７】
【図１】（ａ）は首振り式剃刀において剃刀ヘッドの中立位置でキャップを装着して正面側から見た全体斜視図であり、（ｂ）は同じく背面側から見た全体斜視図である。
【図２】（ａ）は図１（ａ）（ｂ）の首振り式剃刀においてキャップを取り外した状態を示す全体側面図であり、（ｂ）は同じく側面側から見た全体断面図である。
【図３】（ａ）は図１（ａ）（ｂ）の首振り式剃刀においてキャップを取り外した状態を示す全体正面図であり、（ｂ）は同じく全体背面図である。
【図４】（ａ）は図３（ａ）（ｂ）の首振り式剃刀においてホルダの頭部を示す部分拡大背面図であり、（ｂ）は図３（ｂ）の部分縦断面図であり、（ｃ）は図３（ｂ）の部分横断面図である。
【図５】（ａ）は図２（ａ）の首振り式剃刀において剃刀ヘッドの首振り状態を示す全体側面図であり、（ｂ）は図１（ａ）（ｂ）の首振り式剃刀を示す全体側面図である。
【発明を実施するための形態】
【００３８】
以下、本発明の一実施形態にかかる首振り式剃刀について不使用時の中立状態を基本として図面を参照して説明する。
図１（ａ）（ｂ）に示すホルダ１は、上下方向Ｚへ細長く延設された把持部２と、その把持部２の上端部に設けられた頭部３とを有している。図２（ａ）（ｂ）に示すように、把持部２は、硬質樹脂により成形された主体部４と、軟質樹脂またはゴム材またはゴム材以外の軟質材により成形されてその主体部４の外側に露出する指当部５とを有している。図３（ａ）に示すように、把持部２の正面側のほぼ全域には主体部４が露出し、その正面側の下部には指当部５の一部５ａが露出している。図３（ｂ）に示すように、把持部２の背面側のほぼ全域には指当部５が露出し、その背面側の中間部及び下端部には主体部４の一部４ａが露出している。図２（ａ）に示すように、把持部２の側面側のほぼ全域には指当部５が露出し、その側面側の下端部には主体部４の一部４ａが露出している。頭部３は、硬質樹脂により把持部２の主体部４とともに主体部４と同一材で一体成形された支持部６を有している。支持部６は、把持部２の上端部で主体部４に連続して、左右方向Ｙの両側へ膨らんでいる。
【００３９】
図４（ａ）（ｂ）（ｃ）に示すように、頭部３の支持部６には上辺部と下辺部と左辺部と右辺部とにより略四角形の環状に連続する環状部６ａが形成されている。上辺部と下辺部と左辺部と右辺部とはそれぞれ外側へ緩やかな曲線により膨らみ、上辺部と左辺部との間の隅部や、上辺部と右辺部との間の隅部や、下辺部と左辺部との間の隅部や、下辺部と右辺部との間の隅部も、外側へ緩やかな曲線により膨らんで、上辺部と下辺部と左辺部と右辺部とに滑らかに連続している。ちなみに、上辺部及び下辺部の内側で左辺部と右辺部との間の左右方向Ｙの間隔のうち最大の間隔は約２８ｍｍに設定され、左辺部及び右辺部の内側で上辺部と下辺部との間の上下方向Ｚの間隔のうち最大の間隔は約２３ｍｍに設定されている。
【００４０】
図１（ａ）（ｂ）に示す剃刀ヘッド７は、図２（ａ）に示すように頭部３の正面側に対し間隔Ｗをあけて首振り機構Ｍにより取り付けられている。剃刀ヘッド７の下側にはキャップ７ａが下方から上方へ着脱可能に嵌め込まれる。
【００４１】
剃刀ヘッド７は、図２（ｂ）及び図３（ａ）（ｂ）に示すように、刃体９を組み付けた刃体組付部８と、その刃体組付部８の裏側（後側）から頭部３の支持部６に向けて延びる被支持部１０と、刃体組付部８が嵌め込まれて刃体組付部８の上下左右の外周を囲う枠体部１１とを有している。刃体９の刃先９ａは刃体組付部８の表側（前側）で露出している。枠体部１１の上下両側にはシェービングエイド１２，１３が設けられている。
【００４２】
図４（ａ）（ｂ）（ｃ）に示すように、頭部３において支持部６の環状部６ａの内周と、剃刀ヘッド７の被支持部１０の外周との間の支持孔１４には、首振り機構Ｍとして、弾性板１５（弾性部）が介在されている。支持部６の環状部６ａの外周上端部は上下方向Ｚで剃刀ヘッド７の刃体組付部８の上端部に対し前後方向Ｘでほぼ並んでいるとともに、枠体部１１の外周上端部がその環状部６ａの外周上端部より上方へ突出している。
【００４３】
剃刀ヘッド７の被支持部１０は、筒部１７と底部１８（端部）とを有する連結部１６と、刃体組付部８から突出する連結部１９とからなる。連結部１６の筒部１７は上壁部と下壁部と左壁部と右壁部とにより四角筒状をなす。連結部１９も上壁部と下壁部と左壁部と右壁部と底部（端部）とにより有底四角筒状をなす。この連結部１６内には前側の刃体組付部８側で開口された連結孔２０が形成されて底部１８で窓口１８ａにより開放されている。この連結孔２０において、底部１８には窓口１８ａ側から刃体組付部８側へ向けて前後方向Ｘに延びる片持ち梁状の左右両係止腕部２１が形成されている。この連結部１９の左右両壁部には係止孔２２が形成されている。ちなみに、連結部１６の筒部１７の上壁部及び下壁部の外側でその左右方向Ｙの長さは約１９ｍｍに設定され、連結部１６の筒部１７の左壁部及び右壁部の外側でその上下方向Ｚの長さは約１２ｍｍに設定されている。
【００４４】
この連結部１９は前記連結部１６の連結孔２０に挿入される。その挿入状態で、連結部１９は筒部１７の延設方向に沿う軸線１６ａを中心に回動しない状態でその軸線１６ａの方向のみに案内されながら連結部１６の連結孔２０（結合部）に挿着される。連結部１９の底部は、連結部１６の底部１８に当接されて前後方向Ｘへの移動が規制されるとともに、その底部１８の窓口１８ａで露出してその底部１８と略面一になっている。連結部１６の左右両係止腕部２１（結合部）はそれらの係止鉤部２１ａで連結部１９の左右両係止孔２２（結合部）に係入され、連結部１６からの連結部１９の不用意な離脱が阻止されている。そのため、両連結部１６，１９は互いに着脱不能になる。なお、両連結部１６，１９を互いに着脱可能にしてもよい。連結部１６の筒部１７及び底部１８や、連結部１６の左右両係止腕部２１も、硬質樹脂により成形されている。
【００４５】
弾性板１５は、頭部３の支持部６と剃刀ヘッド７における被支持部１０の連結部１６とをインサートした金型内のキャビティに指当部５と同じ材料（軟質樹脂またはゴム材またはゴム材以外の軟質材）を供給して指当部５と一体成形され、支持孔１４で支持部６の環状部６ａの内周と連結部１６の筒部１７の外周とに沿って環状に連続する環状部１５ａを有している。指当部５には滑り止め機能を持たせたり感触を良くしたりするための各種形状の凹凸が形成されている。例えば、この弾性板１５及び指当部５はスチレン系熱可塑性エラストマからなり、物性として、２０以上６０以下の範囲のショアＡ硬度を有している。
【００４６】
このような弾性板１５の成形後に、前述したように刃体組付部８が被支持部１０に挿着される。環状部１５ａの外周部は支持部６の環状部６ａの内周部に面接触されて成形時の熱や圧力により取着されている。被支持部１０は、環状部１５ａに対しその厚み方向（前後方向Ｘ）の両側へ貫通されて支持されている。環状部１５ａの内周部は被支持部１０の筒部１７の外周部に面接触されて成形時の熱や圧力により取着されている。環状部１５ａには撓み許容部２３が形成されている。撓み許容部２３は、筒部１７の延設方向に沿う軸線１６ａの外周で環状に連続して延びる突条部２４と、その突条部２４の内側で環状に連続して延びる溝部２５とを有している。弾性板１５は、支持部６の環状部６ａと剃刀ヘッド７の被支持部１０との間の支持孔１４において、環状部６ａの前後両内周縁部で区画された内側領域Ｓ内に配置されている。剃刀ヘッド７の被支持部１０において連結部１６の底部１８及び連結部１９の底部は、刃体組付部８側に対し弾性板１５を挟む反対側で、支持孔１４の内側領域Ｓ内に配置されている。
【００４７】
撓み許容部２３の突条部２４を刃体組付部８から離れる向きへ軸線１６ａに沿って突出させているが、逆に刃体組付部８に接近する向きへ軸線１６ａに沿って突出させてもよい。環状部１５ａを含む弾性板１５は、略均一の厚み（０．１〜３ｍｍ）を有している。弾性板１５の環状部１５ａにおいて撓み許容部２３の厚みを撓み許容部２３以外の部分の厚みよりも小さくして、撓み易くしてもよい。撓み許容部２３において突条部２４の突出寸法は０．３〜５ｍｍになっている。
【００４８】
弾性板１５の撓み許容部２３は、剃刀ヘッド７における刃体９の刃先９ａの延設方向に沿う左右方向Ｙで相対向する左右両側の撓み許容部２６と、その刃先９ａの延設方向に対し交差する上下方向Ｚで相対向する上下両側の撓み許容部２７，２８と、この左右両側の撓み許容部２６と上下両側の撓み許容部２７，２８との間の四隅部において対角方向で相対向する四隅部の撓み許容部２９，３０とを有している。支持孔１４において、支持部６の環状部６ａの内周形状と被支持部１０の連結部１６の外周形状とは略相似形状となっており、支持部６の上辺部と連結部１６の上壁部との間の間隔（約６ｍｍ）は、支持部６の下辺部と連結部１６の下壁部との間の間隔（約４ｍｍ）より大きく設定され、支持部６の左辺部と連結部１６の左壁部との間の間隔（約４ｍｍ）と、支持部６の右辺部と連結部１６の右壁部との間の間隔（約４ｍｍ）とは、互いに略等しく設定され、各撓み許容部２６，２７，２８，２９，３０の突条部２４及び溝部２５はそれらの間隔の略中央位置でそれらの辺部及び壁部に沿って互いに隣接して配設されている。
【００４９】
図２（ａ）に示すように、前記ホルダ１において、頭部３の側面側は、正面側から背面側への向きに把持部２の上端部から上方へ屈曲して延設されているとともに、背面側から正面側に膨らむように湾曲し、また、把持部２の側面側は、上端部と下端部との間の中間部で、背面側から正面側への向きに下方へ屈曲して延設されているとともに、正面側から背面側に膨らむように湾曲している。そのため、頭部３の側面側において背面側には凹み３ａが形成され、把持部２の側面側において正面側には凹み２ａが形成され、それらの凹み３ａ，２ａにより、ホルダ１の全体の側面側が滑らかに連続するＳ字状に湾曲している。把持部２の側面側の上端部に対する頭部３の側面側の屈曲角度α（１５度以上６０度以下）は、把持部２の中間部における屈曲角度β（５度以上４５度以下）より大きく設定されている。前記弾性板１５は頭部３の側面側に沿って湾曲している。
【００５０】
頭部３の弾性板１５は前述したように湾曲しているため、弾性板１５の各撓み許容部２６，２７，２８，２９，３０でそれらの断面形態や長さが互いに異なる。従って、弾性板１５の各撓み許容部２６，２７，２８，２９，３０の変形のし難さを指す難変形度（弾性度）についても、下記のように互いに異なる。
【００５１】
弾性板１５において、左右両側の撓み許容部２６は同じ難変形度を有しているが、刃先９ａ側（下側）における撓み許容部２８の難変形度は、刃先９ａ側に対する反対側（上側）における撓み許容部２７の難変形度より高くなっている。また、四隅部の撓み許容部２９，３０のうち、下側の撓み許容部２８の左右両側に並ぶ撓み許容部３０の難変形度は、上側の撓み許容部２７の左右両側に並ぶ撓み許容部２９の難変形度より高くなっている。さらに、四隅部の撓み許容部２９，３０の難変形度は、左右両側の撓み許容部２６の難変形度や上下両側の撓み許容部２７，２８の難変形度よりも高くなっている。
【００５２】
次に、首振り式剃刀の作用（使用時の首振り動作）について説明する。
剃刀ヘッド７は弾性板１５により図２（ａ）（ｂ）及び図４（ａ）（ｂ）（ｃ）に示す中立位置Ｐで保持される。その中立位置Ｐでは、剃刀ヘッド７の被支持部１０において連結部１６の底部１８及び連結部１９の底部が、刃体組付部８側に対し弾性板１５を挟む反対側で、支持孔１４の内側領域Ｓ内に配置され、頭部３の正面側に対する剃刀ヘッド７の裏側の間隔Ｗについては、刃先９ａ側に対する反対側で刃先９ａ側より大きくなっている。
【００５３】
使用時にその中立位置Ｐで剃刀ヘッド７の刃体組付部８や枠体部１１などに力が与えられると、剃刀ヘッド７において刃体組付部８と被支持部１０とは一体となって移動して弾性板１５を押圧する。弾性板１５は、複数の移動位置、例えば、被支持部１０の筒部１７の軸線１６ａの方向、または、その軸線１６ａに交差する方向、すなわち、左右方向Ｙに沿う軸線を中心に回動する方向、上下方向Ｚに沿う軸線を中心に回動する方向、前後方向Ｘや左右方向Ｙや上下方向Ｚやそれらを組み合わせた斜め方向へ移動して撓み得る。従って、剃刀ヘッド７を中立位置Ｐに対し弾性に抗して三次元方向の移動位置に移動させることができる。
【００５４】
例えば、剃刀ヘッド７が上方へ傾動する場合や、剃刀ヘッド７が下方へ傾動する場合には、主に、上下両側の撓み許容部２７，２８が共に変形する。また、例えば、剃刀ヘッド７が後方へ押された場合には、主に、上下両側の撓み許容部２７，２８及び左右両側の撓み許容部２６が共に変形する。また、例えば、剃刀ヘッド７が右方へ傾動する場合や、剃刀ヘッド７が左方へ傾動する場合には、主に、左右両側の撓み許容部２６が共に変形する。それらの場合に、四隅部の撓み許容部２９，３０は上下両側の撓み許容部２７，２８及び左右両側の撓み許容部２６より変形しにくい。しかも、それらの撓み許容部２６，２７，２８，２９，３０の形態は変形が進むにつれて変形しにくい形態に変化するため、それらの撓み許容部２６，２７，２８，２９，３０における複数の移動位置での難変形度は、それらの撓み許容部２６，２７，２８，２９，３０の中立位置Ｐの難変形度より高くなり、例えば、それらの撓み許容部２６，２７，２８，２９，３０の難変形度は剃刀ヘッド７が中立位置Ｐから複数の移動位置に移動するに従い高くなる。
【００５５】
例えば、図５（ａ）に示すように、剃刀ヘッド７の移動位置Ｑでは、剃刀ヘッド７の裏側が中立位置Ｐから頭部３の正面側に向けて３０度以上移動して頭部３の正面側に当って停止するまでの角度範囲θに設定され、刃先９ａ側に対する反対側における前記間隔Ｗは刃先９ａ側における前記間隔Ｗより小さくなる。
【００５６】
なお、被支持部１０や弾性板１５を頭部３の背側から指で押さえて使用すると、使用者の意図に合わせて剃刀ヘッド７の首振りを抑制することができる。
例えば、図５（ｂ）に示すように、剃刀ヘッド７にその下方からキャップ７ａを被せた場合にも、キャップ７ａと頭部３の支持部６との間の隙間の範囲でのみ剃刀ヘッド７が移動し得る。キャップ７ａを被せた剃刀ヘッド７の移動範囲は、キャップ７ａを被せない剃刀ヘッド７の移動範囲より小さい。剃刀ヘッド７にその上方からキャップ７ａを被せることもできる。
【００５７】
また、図２（ａ）に示すように、剃刀ヘッド７の中立位置Ｐでホルダ１の把持部２の正面側を載置面Ｈに載置した際に、剃刀ヘッド７の表側は、この載置面Ｈに対し離間した状態でこの載置面Ｈに対しなす傾斜角度γを２０度以上にするとともに、剃刀ヘッド７が中立位置Ｐから頭部３の正面側に向けて移動した移動位置Ｑで剃刀ヘッド７の裏側が頭部３に当って停止するように設定されている。
【００５８】
本実施形態は下記の効果を有する。
（１）  剃刀ヘッド７の裏側を頭部３の正面側に対し間隔Ｗをあけて対向させて取り付けたので、身体の各種部分に生える膚毛を剃る場合に、ホルダ１を把持した手を大きく屈曲させなくても、剃刀ヘッド７の表側を身体の皮膚面に沿わせて剃刀を使用することができ、剃刀の使い勝手を良くすることができる。また、剃刀ヘッド７の裏側と頭部３の正面側との間の間隔Ｗにより、剃刀ヘッド７の表側を身体の皮膚面に沿わせて剃刀を使用する際に頭部３の正面側が身体の皮膚面に接触しにくくなって、剃刀の使い勝手をより一層良くすることができる。
【００５９】
（２）  頭部３は側面側を正面側から背面側への向きに把持部２の上端部から上方へ屈曲して延設されているので、剃刀ヘッド７の裏側と頭部３の正面側との間の間隔Ｗについては刃先９ａ側に対する反対側を刃先９ａ側より大きくするように設定し易くなって、刃先９ａ側に対する反対側で剃刀ヘッド７の首振り範囲が広くなり、剃刀の使い勝手を良くすることができる。
【００６０】
（３）  頭部３の正面側に対する剃刀ヘッド７の裏側の間隔Ｗを首振り機構Ｍにより変更して、剃刀ヘッド７の中立位置Ｐでは刃先９ａ側に対する反対側における間隔Ｗを刃先９ａ側における間隔Ｗより大きくし、中立位置Ｐから剃刀ヘッド７を移動させた所定の移動位置Ｑでは刃先９ａ側に対する反対側における間隔Ｗを刃先９ａ側における間隔Ｗより小さくすることができるので、刃先９ａ側に対する反対側で剃刀ヘッド７の首振り範囲が広くなり、剃刀の使い勝手を良くすることができる。
【００６１】
（４）  ホルダ１の頭部３の支持部６と剃刀ヘッド７の被支持部１０との間に介在させた弾性板１５のみにより剃刀ヘッド７を支持するので、剃刀ヘッド７を中立位置Ｐに対し弾性板１５の弾性に抗して移動可能に支持する支持構造を簡単にすることができる。
【００６２】
（５）  支持部６の環状部６ａの内周部で弾性板１５の環状部１５ａの外周部を支持するとともに、弾性板１５の環状部１５ａの内周部に剃刀ヘッド７の被支持部１０を挿着した簡単な支持構造により、使用時に剃刀ヘッド７を中立位置Ｐに対し弾性板１５の弾性に抗して三次元方向の移動位置に移動させ得るばかりではなく、剃刀ヘッド７の使用時に弾性板１５の環状部１５ａの弾性によるクッション機能を果たし、首振り式剃刀の使い勝手を良くすることができる。
【００６３】
（６）  弾性板１５の環状部１５ａには円環状の突条部２４及び溝部２５を有する撓み許容部２３を形成したので、弾性板１５の環状部１５ａを三次元方向へ撓み易くするばかりではなく、剃刀ヘッド７の使用時に撓み許容部２３によるクッション機能をより一層果たすことができる。しかも、撓み許容部２３において円環状の突条部２４が筒部１７の軸線１６ａに沿う方向へ突出しているので、環状部１５ａは、軸線１６ａに直交する方向（左右方向Ｙや上下方向Ｚなど）よりも軸線１６ａの方向（前後方向Ｘ）へ撓み易くなる。また、前後方向Ｘの軸線１６ａに直交する軸線（左右方向Ｙや上下方向Ｚなどの軸線）とその軸線１６ａとの交点を中心点として、ボールジョイントなどのユニバーサルジョイントと同様な機能を果たすため、環状部１５ａはより一層三次元方向へ撓み易くなる。
【００６４】
（７）  弾性板１５の環状部１５ａには環状の突条部２４及び溝部２５を有する撓み許容部２３が左右両側の撓み許容部２６と上下両側の撓み許容部２７，２８と四隅部の撓み許容部２９，３０とにより略四角形の環状に並設されているので、ボールジョイントなどのユニバーサルジョイントと同様な機能を果たすばかりでなく、四隅部の撓み許容部２９，３０の難変形度を左右両側の撓み許容部２６の難変形度や上下両側の撓み許容部２７，２８の難変形度より高くしたり、下側の撓み許容部２８の難変形度を上側の撓み許容部２７の難変形度より高くしたり、剃刀ヘッド７が中立位置Ｐから移動位置に移動するに従いそれらの難変形度を高くしたりすることができ、難変形度を適切に設定して剃り味を容易に変更することができる。
【００６５】
前記実施形態以外にも例えば下記のように構成してもよい。
・  前記実施形態において、首振り機構Ｍを省略し、剃刀ヘッド７をホルダ１の頭部３に対し首振り不能に支持する。
【００６６】
・  弾性部としては、ゴム材により成形した弾性板１５以外に、発泡材や粘性体内包部材やコイルばねや板ばねなどを利用してもよい。また、硬質樹脂や金属により成形されたばねを利用してもよい。
【００６７】
・  支持部６としては、円環状や四角形以外に、三角形や楕円形などの環状でもよく、また、環状以外に、一部が切り欠かれた例えばＵ状であってもよい。
・  弾性部としては、弾性板１５の環状部１５ａに複数の貫通孔間で複数の撓み許容部を等間隔で環状に並設してもよい。また、例えば、弾性板１５の上下左右の各位置のうち、上下位置または左右位置の二箇所や、左右位置と上位置または左右位置と下位置の三箇所に、撓み許容部を設けてもよい。
【００６８】
・  弾性部としては、支持部上で膨らむ半球状であってもよい。
・  弾性部に該当する部分を薄肉にしてより撓み易くしてもよい。
・  環状の弾性板１５において、厚みに変化を持たせたり、突条部２４の形状を変更したり、弾性板１５に対する被支持部１０の支持位置を偏心させたりして、弾性板１５の周囲で変形のし難さを指す難変形度（弾性度）を変えるようにしてもよい。
【００６９】
・  頭部３の支持部６と剃刀ヘッド７の被支持部１０との間に一または複数の薄板部を設けて、前後方向Ｘに沿う軸線１６ａを中心とする回動方向へ弾性板１５の環状部１５ａが撓むことを規制してもよい。その薄板部を設けても、前後方向Ｘに沿う軸線１６ａを中心とする回動方向以外の方向へ弾性板１５の環状部１５ａが撓むことは許容する。
【符号の説明】
【００７０】
１…ホルダ、２…把持部、３…頭部、６…頭部の支持部、６ａ…支持部の環状部、７…剃刀ヘッド、８…刃体組付部、９…刃体、９ａ…刃先、１０…剃刀ヘッドの被支持部、１４…頭部の支持孔、１５…頭部の弾性板（弾性部）、１５ａ…弾性板の環状部、１６,１９…被支持部の連結部、２０…被支持部の連結孔（結合部）、２１…被支持部の係止腕部（結合部）、２２…被支持部の係止孔（結合部）、２３，２６，２７，２８，２９，３０…弾性板の撓み許容部、Ｍ…首振り機構、Ｗ…間隔、Ｐ…中立位置、Ｑ…移動位置、Ｙ…刃先の延設方向（左右方向）、Ｚ…上下方向。
【図１】
2014090934.tif 000003
【図２】
2014090934.tif 000004
【図３】
2014090934.tif 000005
【図４】
2014090934.tif 000006
【図５】
2014090934.tif 000007